(57)【特許請求の範囲】
【請求項１】
楽曲を出力する楽曲出力手段と、使用者の歌声を入力する手段と、該楽曲出力手段により出力される楽曲と該使用者の歌声とを合成して出力する合成出力手段とを有するカラオケシステムにおいて、
使用者の歌声と曲データとに基づいて歌の技量を採点する採点手段と、
該採点手段による採点結果を表示する表示手段と、
該使用者を写真撮影するための撮影手段と、
所定のタイミングで該撮影手段を駆動して該使用者を撮影する撮影制御手段とを有し、
前記撮影制御手段は、前記表示手段が点数を表示した後に該撮影手段を駆動することを特徴とするカラオケシステム。
【請求項２】
前記撮影制御手段は、前記採点手段による採点結果が所定の点数以上の時にのみ前記撮影手段を駆動することを特徴とする請求項１に記載のカラオケシステム。
【請求項３】
前記所定の点数は変更可能であることを特徴とする請求項２に記載のカラオケシステム。
【請求項４】
前記撮影手段は撮影動作を制御する制御手段を有し、
前記撮影制御手段は、前記撮影手段の該制御手段を制御することにより、前記撮影手段に撮影を行わせることを特徴とする請求項１から請求項３のいずれかに記載のカラオケシステム。
【請求項５】
前記撮影手段はリモートコントローラからの所定の信号で撮影動作を実行し、
前記撮影制御手段は、該リモートコントローラが送出する信号と同一の信号を前記撮影手段に送出することにより撮影を実行することを特徴とする請求項１から請求項４のいずれかに記載のカラオケシステム。
【発明の詳細な説明】
【０００１】
【発明の属する技術分野】
本発明は採点機能を備えたカラオケ装置に関するものである。
【０００２】
【従来の技術】
従来より、カラオケシステムにおいて、利用者の上手・下手を点数によって示す採点機能を有するものが知られている。このような採点機能を有するカラオケシステムは、通常、利用者の歌声をマイクロフォンによりアナログ電気信号に変換し、さらにこのアナログ信号をデジタル信号に変換する。デジタル信号に変換された利用者の歌声と、カラオケ装置にて演奏されている楽曲の曲データの主旋律を示すデータとを比較することにより一致の度合いを採点結果として数値化し、利用者が歌唱後に該採点結果をカラオケシステムの画面や、採点用の表示器等を用いて表示して、宴会等を盛り上げるものである。
【０００３】
【発明が解決しようとする課題】
上述のような、採点機能を有するカラオケシステムにおいては、採点結果に応じて、歌唱を行った利用者は様々な反応を示し、様々な表情を呈するものである。このような利用者の表情を写真に収めるために、歌唱を行った利用者とは別の利用者がカメラを持参し、採点結果が表示され歌唱を終えた利用者が採点結果に対し反応するタイミングを見計らってシャッターボタンを押すといったことがたびたび行われていた。しかしながら、採点結果の表示に合わせてタイミング良く撮影するためには、常に利用者の誰かが採点結果の表示のタイミングを監視している必要があり、カラオケを楽しんでいる席で常時写真撮影に注意を払っていることは難しく、採点結果が表示されたときの歌い手の表情を撮影する手段が望まれていた。
【０００４】
【課題を解決するための手段】
上記の課題を解決するため、請求項１に記載のカラオケシステムは、楽曲を出力する楽曲出力手段と、使用者の歌声を入力する手段と、該楽曲出力手段により出力される楽曲と該使用者の歌声とを合成して出力する合成出力手段とを有するカラオケシステムにおいて、使用者の歌声と曲データとに基づいて歌の技量を採点する採点手段と、該採点手段による採点結果を表示する表示手段と、該使用者を写真撮影するための撮影手段と、所定のタイミングで該撮影手段を駆動して該使用者を撮影する撮影制御手段とを有し、前記撮影制御手段は、前記表示手段が点数を表示した後に該撮影手段を駆動することを特徴としている。
【０００５】
また、前記撮影制御手段は、前記採点手段による採点結果が所定の点数以上の時にのみ前記撮影手段を駆動する構成とすることが可能である。
【０００６】
尚、前記所定の点数は変更できるよう構成することも可能である。
【０００７】
前記撮影手段は撮影動作を制御する制御手段を有し、前記撮影制御手段は、前記撮影手段の該制御手段を制御することにより、前記撮影手段に撮影を行わせる構成とすることが可能である。あるいは、前記撮影手段はリモートコントローラからの所定の信号で撮影動作を実行し、前記撮影制御手段は、該リモートコントローラが送出する信号と同一の信号を前記撮影手段に送出することにより撮影を実行する構成とすることも可能である。
【０００８】
【発明の実施の形態】
以下、本発明の実施の形態である採点機能付カラオケシステムについて、図面を参照して説明する。
【０００９】
図１は本発明の実施の形態の採点機能付カラオケシステム１の構成を説明するためのブロック図である。カラオケシステム１は、いわゆる通信カラオケシステムであり、曲データを蓄積しているホストコンピュータ２、カラオケコマンダ４、採点装置３０、カメラ４０、その他の周辺装置から構成される。周辺装置としては、利用者が歌声を入力するためのマイクロフォン５、カラオケコマンダ４から出力される楽曲信号とマイクロフォン５からの音声信号とを合成し、増幅して出力するアンプミキサ８、アンプミキサ８から出力される再生信号を音声に変換するためのスピーカ６、また、カラオケコマンダ４から出力される画像信号を表示するモニタ７を有している。
【００１０】
カラオケコマンダ４は、カラオケ制御部１０、モデム１５、カラオケデータ記憶部１６、楽音合成部１７、モニタ制御部１８、入力部１９を備えている。カラオケ制御部１０は、全体の制御を司るＣＰＵ１１、ＣＰＵにて実行されるプログラムを格納しているＲＯＭ１２、一時的にデータを格納したり、演算のための作業領域として用いられるＲＡＭ１３を有している。カラオケ制御部１０はモデム１５を介してホストコンピュータ２とデータ通信を行うことができ、ホストコンピュータ２から楽曲データの配信を受けたり（ホストコンピュータ２に蓄積されている楽曲データを受信したり）、カラオケコマンダ４側の稼働状況を、モデム１５を介してホストコンピュータ２に送信したりすることができる。
【００１１】
カラオケデータ記憶部１６は、ホストコンピュータ２から配信された楽曲データや楽曲演奏時にモニタ７に表示するための画像データを蓄積するためのもので、楽音情報記憶部２４、歌詞情報記憶部２５、背景データ記憶部２６を有する。カラオケデータ記憶部１６においては、複数の楽曲が曲名（あるいは曲を特定する曲番号）とそれぞれ対応づけられた状態で格納されている。
【００１２】
楽音情報記憶部２４に格納される楽音データは本実施の形態においてはＭＩＤＩ（Musical Instrument Digital Interface）データであり、少なくとも音階、音の強さ、音の長さ、音色のデータを含んでいる。楽音データは、後述する楽音合成部１７においてＭＩＤＩ音源を利用して再生が行われる。歌詞情報記憶部は、カラオケの楽曲を再生する際に楽曲の進行に同期してモニタ７に表示される歌詞のデータを格納するものである。背景データ記憶部２６は、各楽曲に対応する背景画像を格納している。背景画像としては静止画、動画のいずれの場合もあり、また、各楽曲と１対１に対応しているもの、複数の楽曲に対して利用される画像等、種々の形態のデータを有している。
【００１３】
楽音合成部１７は、例えばシンセサイザ等で構成されており、各種の楽器の演奏音をＭＩＤＩ音源として有しており、楽音情報記憶部２４から送られてくる楽音データに基づいて、各楽器の演奏を再生し楽音信号として出力する。楽音合成部１７から出力された楽音信号はアンプミキサ８により増幅される。アンプミキサ８は、楽音合成部１７から出力された信号とマイクロフォン５を介して入力される利用者の音声とを適度の割合で混合し、スピーカ６から出力する。すなわち、楽音合成部１７、アンプミキサ８およびスピーカ６が演奏手段を構成している。
【００１４】
採点装置３０は採点装置制御部３１、採点値設定手段３２、主旋律比較手段３３および点数比較手段３４とを有している。採点装置３０は、カラオケ制御部１０を介して、楽音情報記憶部２４から主旋律のデータを受信する。また、アンプミキサ８を介して利用者の音声が鉛管装置３５に入力され、変換装置３５からは入力された音声信号に対応したデジタル信号が採点装置３０に入力される。
【００１５】
採点装置制御部３１は、上記の採点装置制御部３１、採点値設定手段３２、主旋律比較手段３３および点数比較手段３４を制御して採点を行い、採点結果をカラオケ制御部１０に送信する。詳しくは後述するが、本実施の形態のカラオケシステム１においては、利用者の音声を主旋律データと比較して採点し、採点結果が所定値を越えた場合に、自動的に撮影者を写真撮影するよう構成されている。採点装置３０の採点値設定手段３２には、採点結果と比較される所定値が格納されている。尚、採点値設定手段３２に格納されている所定値は利用者が変更することができる。所定値の変更は、採点装置３０に設けられた、図示しない操作ボタンにより行う。
【００１６】
主旋律比較手段３３は、カラオケ制御部１０から送られてくる主旋律データと、変換装置３５から利用者の歌声に応じて逐次送られてくる音声データとを比較し、比較結果を数値化して比較値として出力する。採点装置制御部３１は、数値化された比較結果に基づいて、点数比較手段３４に予め格納されている比較値と採点点数との対応表に基づいて点数を決定する。このようにして決定された点数は、採点装置制御部３１からカラオケ制御部１０のＣＰＵ１１に送られる。ＣＰＵ１１は、採点装置制御部３１から受け取った点数をモニタ制御部１８に出力する。モニタ制御部１８は、点数に対応した画像データを生成し、背景データおよび歌詞データと合成した後に、合成された画像信号をモニタ７に出力して画像表示を行う。この際、曲の進行に同期して歌詞データの画像を反転させることにより利用者に、楽曲の演奏中の箇所に該当する歌唱部分を知らせる。
【００１７】
入力部１９は、利用者が歌いたい楽曲を予約したり、演奏曲のキーやテンポの調整を行うための操作キー、採点機能を利用するか否かを選択する（採点モードをＯＮ・ＯＦＦする）採点モードキー、写真撮影を利用するか否かを選択するための（写真モードをＯＮ・ＯＦＦするための）写真モードキー等を備えている。入力部１９にて操作されたキーに応じてカラオケ制御部１０（ＣＰＵ１１）は、カラオケシステム１の各部の動作を制御する。なお、入力部１９はカラオケコマンダ４に設けられたキーに限るものではなく、入力部１９に図示しないリモートコントローラの信号を受信する受信部を設け、該リモートコントローラに設けられたキーにより上記と同様の入力を行うことができるようにしても良い。
【００１８】
図２は、カラオケコマンダ４の制御部１０の構成を詳細に示すブロック図である。カラオケコマンダ４のＲＡＭ１３には、予約された楽曲を特定するための情報、例えば曲番号を記憶するための曲予約メモリ１３ａが設けられている。曲予約メモリ１３ａには、入力部１９の操作キーにより入力された曲番号が順次蓄積される。ＣＰＵ１１は、楽曲の演奏が終了する毎に、曲予約メモリ１３ａに格納された順に曲番号を読み出し、カラオケデータ記憶部１６から曲番号に対応する曲データを読み出し、楽音合成部１７およびモニタ制御部１８により楽曲の演奏および楽曲に対応した映像の表示を行う。
【００１９】
前述のように、ＲＯＭ１２には、ＣＰＵ１１により実行されるプログラムが格納されている。ＲＯＭ１２に格納されるプログラムとしては、楽音情報記憶部２６から楽音データを読み出して楽曲の演奏を行うための音楽演奏プログラム１２ａ、採点モードのＯＮ・ＯＦＦや写真モードのＯＮ・ＯＦＦなど動作モードの切替を行うためのモード設定プログラム１２ｂ、歌詞情報記憶部２５に記憶されている歌詞情報をモニタ７に出力するための歌詞出力プログラム１２ｃ、背景データ記憶部２６に格納されている背景映像データを読み込んでモニタ７に出力するための映像表示プログラム１２ｅなどがある。
【００２０】
カラオケ制御部１０には、また、カメラ４０の制御手段４１に接続されている。ＣＰＵ１１がカメラの制御手段４１に撮影コマンドを送ると、制御手段４１が撮影手段４２を制御して撮影を実行する構成となっている。
【００２１】
図３は、本実施の形態であるカラオケシステム１において採点モードがＯＮとなっている場合の動作を説明するためのフローチャートである。本実施の形態においては、採点モードがＯＮになっている場合には、採点結果が所定値以上であれば自動的に写真撮影が行われるようになっている。
【００２２】
ＣＰＵ１１は、Ｓ１において、利用者が入力した曲番号を取得する。ここで、前述の曲予約メモリ１３ａに既に曲番号が蓄積されている場合には、曲予約メモリ１３ａから順次曲番号を読み出して、その曲の再生を行う。曲予約メモリ１３ａに曲番号が蓄積されていない場合には入力部１９の操作キーにより入力される曲番号を取得して、当該曲番号に対応する曲の再生を行う。曲番号の入力が無い場合にはＳ１にて待機状態となる。曲の演奏は、前述のように、ＣＰＵ１１が取得した曲番号に対応する曲データをカラオケデータ記憶部１６から読み出し、楽音データは楽音合成部１７へ、歌詞データおよび背景データはモニタ制御部１８へ送信する。
【００２３】
次に、ＣＰＵ１１は、入力部１９の採点モードキーの設定により、採点機能を利用するか否かを判定する。採点機能を利用する場合（ＹＥＳ：Ｓ２）には、ＣＰＵ１１は採点開始信号を採点装置３０に送信する（Ｓ３）。さらに、ＣＰＵ１１は、カラオケデータ記憶部１６より、採点機能を利用する対象曲の主旋律データを採点装置３０に送信する（Ｓ４）。採点開始信号および主旋律データを採点装置３０に送信した後、ＣＰＵ１１は、楽音合成部１７、アンプミキサ８およびスピーカ６からなる演奏手段を駆動して楽曲の演奏を開始する（Ｓ５）。演奏が開始されると、アンプミキサ８から利用者の音声信号が変換装置３５に出力され、変換装置３５において利用者の歌声がデジタル信号に変換される（Ｓ６）。
【００２４】
演奏がある程度進むと、採点装置３０において利用者の歌声に対して採点処理が行われ、採点結果および採点結果が所定値以上かどうかを示す比較情報が採点装置３０からカラオケ制御部１０（ＣＰＵ１１）に送信されてくる（Ｓ７）。ＣＰＵ１１はＳ７において受信した採点結果をモニタ制御部１８に送り、モニタ７に採点結果の点数表示を行う（Ｓ８）。そして、おなじくＳ７にて受信した比較情報に基づき、採点された点数が所定値以上の時には、カメラ４０の制御手段４１に撮影コマンド信号を送信し、撮影手段４２を駆動して歌唱を行った利用者の写真撮影を行う（Ｓ１０）。その後、カラオケの演奏が終了すると（Ｓ１１）、Ｓ１に処理が移行して、次の曲の曲番を取得し、同様の処理を行う。なお、Ｓ１０において、採点点数が所定値未満で合った場合には、写真撮影は行われず、カラオケの演奏終了を待って（Ｓ１１）、Ｓ１からの処理を繰り返す。
【００２５】
以上の説明は、採点モードがＯＮの場合（写真撮影モードはＯＮまたはＯＦＦのいずれでも良い）であるが、採点モードがＯＦＦでありかつ写真撮影モードがＯＦＦとなっている場合には、比較情報の内容にかかわらず（すなわちＳ９で採点点数が所定値以上と判定されても）、Ｓ１０の写真撮影は行われない。採点モードがＯＦＦで写真撮影モードがＯＮの場合については後に図５を参照して説明する。
【００２６】
採点機能を利用しない場合には、Ｓ２にてＮＯと判定され、通常のカラオケ演奏が行われて（Ｓ１２）、演奏が終了すると（Ｓ１３）、Ｓ１からの処理が繰り返される。
【００２７】
図４は、採点装置３０の採点装置制御部３１により実行される採点処理を示すフローチャートである。
【００２８】
採点処理装置制御部３１は、カラオケコマンダ４において採点モードが選択されていると、カラオケの演奏に先立って主旋律データをカラオケ制御部１０より受信する（Ｓ３１）。次に、ＣＰＵ１１がカラオケの演奏を開始すると、採点装置制御部３１は、マイクロフォン５から入力された利用者の音声をアンプミキサ８、変換装置３５を介してデジタル信号として受信し、主旋律比較手段３３を制御して音声信号（デジタル信号）と主旋律データとを比較し比較結果を数値化する（Ｓ３２）。次に、数値化した比較結果（比較値）に基づき点数比較手段に格納されているテーブルを参照して採点点数を決定する（Ｓ３３）。採点装置制御部３１はさらに、Ｓ３３において決定された点数と採点値設定手段に格納されている所定値とを比較して大小を判定する（Ｓ３４）。そして、採点点数とＳ３４における比較の結果を示す情報とをカラオケ制御部１０（ＣＰＵ１１）に送信する（Ｓ３５）。なお、既に述べた通り、Ｓ３５で送信された情報が図３のＳ７において受信される。
【００２９】
図５は、採点モードがＯＦＦの場合に、写真モードがＯＮかＯＦＦかにより処理が分岐する様子を示すフローチャートである。
【００３０】
ＣＰＵ１１は、図３と同様に、Ｓ５１において、利用者が入力した曲番号を取得する。曲予約メモリ１３ａに既に曲番号が蓄積されている場合には、曲予約メモリ１３ａから順次曲番号を読み出して再生を行い、曲予約メモリ１３ａに曲番号が蓄積されていない場合には入力部１９の操作キーにより入力される曲番号を取得して再生を行う。曲番号の入力が無い場合にはＳ５１にて待機状態となる。
【００３１】
曲番号を取得すると、写真モードが選択されているか否か（ＯＮかＯＦＦか）を判定する（Ｓ５２）。前述の通り、写真モードは入力部１９の写真モードキーによりＯＮ・ＯＦＦすることができる。写真モードがＯＮの場合には、カラオケの演奏をＳ５３において開始し、Ｓ５４でカラオケの演奏が終了すると、Ｓ５５において写真撮影を行う。なお、ここではカラオケ演奏が終了した後で写真撮影を行っているが、必ずしもカラオケの演奏終了を待つ必要はなく、演奏中に所定のタイミングで撮影を実行するようにしても良い。たとえば、歌唱部分が終了した時点で撮影を行っても良いし、１コーラス目と２コーラス目との間の間奏部分や、歌唱中に写真撮影を行うようにしても良い。
【００３２】
写真モードがＯＦＦの場合には、Ｓ６１にてカラオケの演奏を開始し、Ｓ６２でカラオケの演奏を終了すると、処理はＳ５１に戻って次の演奏曲の曲番号を取得し、以降、同様の処理を繰り返す。
【００３３】
上記の実施の形態においては、カメラ４０はどのようなカメラでもよいが、その場にいる利用者が直ちに撮影された写真を見ることができるような、いわゆるインスタント写真装置であればより一層場が盛り上がることになる。
【００３４】
また、上記の実施の形態においてはカラオケ制御部１０がカメラ４０の制御部４１にコマンドを送信し、カメラ４０の制御部４１が撮影手段４２を駆動して撮影を行うようになっている。しかし、近年、レリーズ操作をリモートコントローラで行うことが可能なカメラも知られている。これを利用して、カラオケコマンダ４にカメラのリモートコントロール信号と同一の信号を送信する送信手段を設け、カラオケ制御部１０が写真撮影を行う際にはリモートコントロール信号と同一の信号をカメラに送信するよう構成しても良い。あるいは、カメラのシャッタボタンを機械的に押下するような機構を設けて、カラオケ制御部１０の制御により該機構を駆動して撮影を行うようにしても良い。
【００３５】
また、カメラ４０は銀塩フィルムを用いたカメラに限る必要はなく、デジタルカメラを用いて撮影を行い、撮影により得られた画像データをモニタ制御部１８に送ってモニタ７に表示するような構成とすることもできる。あるいはまた、ビデオカメラにより利用者を撮影し、採点後のワンシーンをカラープリンタにより出力するような構成とすることも可能である。
【００３６】
また、上記の実施の形態においては、採点結果が採点値設定手段に記憶されている所定値以上の場合にのみ写真撮影が行われるようになっている（図３、Ｓ９およびＳ１０）が、所定値を０とすれば、採点が行われた場合には点数にかかわらずに常に写真撮影が行われるようにすることができる。あるいは、図３のＳ９の処理を削除することにより、常にＳ８の後Ｓ１０に進むようにしても同様に必ず写真撮影が行われるようになる。
【００３７】
また、上記実施の形態においては、採点モードがＯＮの場合には自動的に写真撮影モードもＯＮとして処理を行うようになっているが、採点モードと写真撮影モードを独立して設定するように制御することも可能である。すなわち、採点モードがＯＮの場合に、写真撮影モードがＯＮの場合に限って図３のＳ１０の写真撮影を実行するよう、処理を変更することは容易である。
【００３８】
尚、上記記載の中では特に述べていないが、カラオケシステムは通常室内で行われることが多く、上記記載中の写真撮影はストロボを使用して行われるものとする。ただし、利用者が別の照明装置により十分に明るく照明されている場合にはストロボを用いなくても良い場合もあり、その場合にはストロボは無くても良い。
【００３９】
【発明の効果】
請求項１に記載のカラオケシステムによれば、採点結果が表示され歌唱を行った利用者が採点結果に反応して表情を変えるタイミングを見計らって自動的に写真撮影を行うことが可能になる。
【００４０】
請求項２に記載のカラオケシステムによれば、所定の点数以上の点数を得点した利用者のみの撮影を行うことができる。
【００４１】
請求項３に記載のカラオケシステムによれば、撮影するか否かのボーダーラインを自由に設定することにより、得点の低い歌い手も撮影するようにすることができる。
【００４２】
請求項４に記載のカラオケシステムによれば、カラオケの制御手段がカメラの制御手段に直接制御コマンドを送信するため、カラオケ装置とカメラの動作の連携が確実になる。
【００４３】
請求項５に記載のカラオケシステムによれば、リモートコントローラ信号によりカメラの撮影を制御するため、システム構成が簡単になる。
【図面の簡単な説明】
【図１】本発明の実施の形態の採点機能付カラオケシステムの構成を説明するためのブロック図である。
【図２】カラオケコマンダの制御部の構成を詳細に示すブロック図である。
【図３】本実施の形態であるカラオケシステムにおいて採点モードがＯＮとなっている場合の動作を説明するためのフローチャートである。
【図４】採点装置の採点装置制御部により実行される採点処理を示すフローチャートである。
【図５】採点モードがＯＦＦの場合に、写真モードがＯＮかＯＦＦかにより処理が分岐する様子を示すフローチャートである。
【符号の説明】
１  カラオケシステム
２  ホストコンピュータ
４  カラオケコマンダ
５  マイクロフォン
６  スピーカ
７  モニタ
８  アンプミキサ
１０  カラオケ制御部
１１  ＣＰＵ
１２  ＲＯＭ
１３  ＲＡＭ
１５  モデム
１６  カラオケデータ記憶部
１７  楽音合成部
１８  モニタ制御部
１９  入力部
２４  楽音情報記憶部
２５  歌詞情報記憶部
２６  背景データ記憶部
３０  採点装置
３１  採点装置制御部
３２  採点値設定手段
３３  主旋律比較手段
３４  点数比較手段
４０  カメラ
４１  制御手段
４２  撮影手段
【図１】
0003587620.tif 000002
【図２】
0003587620.tif 000003
【図３】
0003587620.tif 000004
【図４】
0003587620.tif 000005
【図５】
0003587620.tif 000006